(57)【特許請求の範囲】
【請求項１】
装置本体に固定して配置された排出手段から排出される媒体を積載する積載部と、
所定の分岐位置から分岐し前記媒体が前記装置本体の下方に向かって凹状に湾曲した状態で前記積載部に向って搬送される媒体搬送路と、
前記分岐位置の媒体搬送方向における上流側の装置本体内部が露出するように開閉する開閉部材と、
前記媒体搬送路の片側で第１の案内面を構成する案内面を有し、前記媒体を案内する案内姿勢と、前記排出手段は移動させずに前記排出手段に近づく方向に移動し、前記積載部の下方に前記開閉部材が位置する状態で、前記案内面を開放する開放姿勢と、の間で回転可能に支持される案内部材と、を備えた、
ことを特徴とする画像形成装置。
【請求項２】
前記案内部材の回転中心は、前記分岐位置から前記媒体搬送路の媒体搬送方向における下流側に離れた位置に設けられ、
前記案内部材が前記開放姿勢に回転したときに前記媒体搬送路の前記第１の案内面と対向する第２の案内面との間隔を広げる、
ことを特徴とする請求項１に画像形成装置。
【請求項３】
前記案内部材は、自重により前記案内姿勢から前記開放姿勢へと回転する、
ことを特徴とする請求項１又は２に記載の画像形成装置。
【請求項４】
前記装置本体に設けられた被係合部と、
前記案内部材に設けられ前記被係合部に係合可能な係合部と、
前記開閉部材に設けられ前記開閉部材が開放位置から閉塞位置に移動する際に、前記係合部の被接触部に接触しながら前記係合部に対して相対移動する接触部と、を有する、
ことを特徴とする請求項１ないし３のいずれか１項に記載の画像形成装置。
【請求項５】
前記案内部材が、前記係合部と前記被係合部の係合を解除する把持部を有する、
ことを特徴とする請求項４に記載の画像形成装置。
【請求項６】
前記積載部が、前記装置本体に固定されている、
ことを特徴とする請求項１ないし５のいずれか１項に記載の画像形成装置。
【発明の詳細な説明】
【技術分野】
【０００１】
本発明は、画像形成装置に関する。
【背景技術】
【０００２】
フェイスダウントレイにシートを排出するフェイスダウン排出部材と、フェイスアップトレイにシートを排出するフェイスアップ排出部材と、フェイスダウントレイにシートを搬送するフェイスダウン搬送路と、フェイスアップトレイにシートを搬送するフェイスアップ搬送路と、共通搬送路を搬送されるシートを前記フェイスダウン搬送路またはフェイスアップ搬送路に切り替えて搬送するトレイ切替ゲートと、を有し、本体排出部材の上方に着脱可能に装着されるオプション排出装置とを備えた画像形成装置が知られている（特許文献１）。
【先行技術文献】
【特許文献】
【０００３】
【特許文献１】特開２００５−２８９５４０号公報
【発明の概要】
【発明が解決しようとする課題】
【０００４】
本発明は、容易にジャム紙を除去することができる画像形成装置を提供することを目的とする。
【課題を解決するための手段】
【０００５】
前記課題を解決するために、請求項１に記載の画像形成装置は、
装置本体に固定して配置された排出手段から排出される媒体を積載する積載部と、
所定の分岐位置から分岐し前記媒体が前記装置本体の下方に向かって凹状に湾曲した状態で前記積載部に向って搬送される媒体搬送路と、
前記分岐位置の媒体搬送方向における上流側の装置本体内部が露出するように開閉する開閉部材と、
前記媒体搬送路の片側で第１の案内面を構成する案内面を有し、前記媒体を案内する案内姿勢と、前記排出手段は移動させずに前記排出手段に近づく方向に移動し、前記積載部の下方に前記開閉部材が位置する状態で、前記案内面を開放する開放姿勢と、の間で回転可能に支持される案内部材と、を備えた、
ことを特徴とする。
【０００６】
請求項２に記載の発明は、請求項１に記載の画像形成装置において、
前記案内部材の回転中心は、前記分岐位置から前記媒体搬送路の媒体搬送方向における下流側に離れた位置に設けられ、
前記案内部材が前記開放姿勢に回転したときに前記媒体搬送路の前記第１の案内面と対向する第２の案内面との間隔を広げる、
ことを特徴とする。
【０００７】
請求項３記載の発明は、請求項１又は２に記載の画像形成装置において、
前記案内部材は、自重により前記案内姿勢から前記開放姿勢へと回転する、
ことを特徴とする。
【０００８】
請求項４記載の発明は、請求項１ないし３のいずれか１項に記載の画像形成装置において、
前記装置本体に設けられた被係合部と、
前記案内部材に設けられ前記被係合部に係合可能な係合部と、
前記開閉部材に設けられ前記開閉部材が開放位置から閉塞位置に移動する際に、前記係合部の被接触部に接触しながら前記係合部に対して相対移動する接触部と、を有する、
ことを特徴とする。
【０００９】
請求項５記載の発明は、請求項４に記載の画像形成装置において、
前記案内部材が、前記係合部と前記被係合部の係合を解除する把持部を有する、
ことを特徴とする。
【００１０】
請求項６記載の発明は、請求項１ないし５のいずれか１項に記載の画像形成装置において、
前記積載部が、前記装置本体に固定されている、
ことを特徴とする。
【発明の効果】
【００１１】
請求項１に記載の発明によれば、回転可能に支持される案内部材を有しない構成に比して、容易にジャム紙を除去することができる。
請求項２に記載の発明によれば、媒体搬送路を広く開放して容易にジャム紙を除去することができる。
請求項３に記載の発明によれば、媒体搬送路を確実に開放することができる。
請求項４に記載の発明によれば、案内部材を確実に装置本体の被係合部に係合することができる。
請求項５に記載の発明によれば、使用者が媒体搬送路を確実に開放することができる。
請求項６に記載の発明によれば、積載された媒体の落下を防止することができる。
【図面の簡単な説明】
【００１２】
【図１】画像形成装置１の内部構成を示す断面模式図である。
【図２】用紙搬送装置７０における用紙搬送路を示す断面模式図である。
【図３】案内部材が開放姿勢に位置する用紙搬送装置７０における用紙搬送を示す断面模式図である。
【図４】案内部材７５が案内姿勢に位置する用紙搬送装置７０の内部構成を示す斜視図である。
【図５】案内部材７５が開放姿勢に位置する用紙搬送装置７０の内部構成を示す斜視図である。
【図６】案内部材７５が装置本体に係合された状態で開閉部材１００を閉じる状態を示す断面模式図である。
【図７】案内部材７５が装置本体に係合されていない状態で開閉部材１００を閉じる状態を示す断面模式図である。
【図８】案内部材７５及び開閉部材１００が装置本体に係合された状態を示す断面模式図である。
【図９】開閉部材１００を開放して案内部材７５が開放姿勢に位置する画像形成装置１の断面模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１４】
（１）画像形成装置の全体構成及び動作
図１は画像形成装置１の内部構成を示す縦断面図である。
以下、図面を参照しながら、画像形成装置１の全体構成及び動作を説明する。
【００１５】
画像形成装置１は、制御装置１０、給紙装置２０、感光体ユニット３０、現像装置４０、転写装置５０、定着装置６０、用紙搬送装置７０を備えて構成されている。画像形成装置１の上面（Ｚ方向）には、画像が記録された用紙が排出・収容される排紙トレイ部Ｔ１が形成されている。
【００１６】
制御装置１０は、画像形成装置１の動作を制御するコントローラ１１と、コントローラ１１により作動を制御される画像処理部１２、電源装置１３等を有する。電源装置１３は、感光体ユニット３０、現像装置４０、転写装置５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００１７】
画像形成装置１の底部には、多数の媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出される。
用紙引き出し部２２から引き出された用紙Ｐは、用紙搬送路を介してレジストローラ対２３のニップ部まで搬送される。
【００１８】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００１９】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２０】
定着装置６０は一対の加熱モジュール６１と加圧モジュール６２の圧接領域によって定着ニップ部（定着領域）が形成される。
転写装置５０においてトナー像が一括転写された用紙Ｐは、トナー像が未定着の状態で搬送ガイド５３を介して定着装置６０の定着ニップ部に搬送され、一対の加熱モジュール６１と加圧モジュール６２により、圧着と加熱の作用でトナー像が定着される。
【００２１】
定着トナー像が形成された用紙Ｐは、用紙搬送装置７０の第１搬送路Ｓ１にガイドされ、第１排出ローラ対８０から画像形成装置１上面の排紙トレイ部Ｔ１に排出・収容される。また、両面印刷のために反転したり、画像記録面を上側にして排出する場合は、第１切替ゲートＧ１で第２搬送路Ｓ２に向って搬送方向が切り替えられる。
【００２２】
第２搬送路Ｓ２においては、更に第２切替ゲートＧ２で第２排出ローラ対８１から排紙トレイＴ２に画像記録面を下側にして排出・積載されるフェイスダウン排紙と、第３排出ローラ対８２から排紙トレイＴ３に画像記録面を上側にして排出・積載されるフェイスアップ排紙とが切り替えられる。
【００２３】
（２）用紙搬送装置の構成と動作
図２は用紙搬送装置７０における用紙搬送路を示す断面模式、図３は案内部材７５が開放姿勢に位置する用紙搬送装置７０における用紙搬送路を示す断面模式図である。
以下、図面を参照しながら、画像形成装置１の用紙搬送装置７０の構成と用紙搬送について説明する。
【００２４】
（２．１）用紙搬送部の構成
図２に示すように、用紙搬送装置７０は、案内ガイド７１ａ、７１ｂ、搬送ローラ対７２、７３、７４、第１切替ゲートＧ１、第２切替ゲートＧ２、第１排出ローラ対８０、第２排出ローラ対８１、第３排出ローラ対８２、案内部材７５を含んで構成されている。
【００２５】
定着装置６０の定着ニップ部の下流側には、案内ガイド７１ａ、７１ｂが設けられ、トナー像が定着された用紙Ｐを搬送ローラ対７２へ案内している。搬送ローラ対７２から第１排出ローラ対８０までの第１搬送路Ｓ１は、第１切替ゲートＧ１によって形成されている。
【００２６】
第１切替ゲートＧ１は、用紙Ｐを第１排出ローラ対８０へ導く第１位置と、用紙Ｐを搬送ローラ対７３へ導く第２位置をとるように回転支持されている（図２中  矢印参照）。
第１切替ゲートＧ１が、用紙Ｐを第１排出ローラ対８０へ導く第１位置に位置している状態では、搬送ローラ対７２から第１排出ローラ対８０までの第１搬送路Ｓ１は、湾曲した状態で形成され装置高の増大が抑制されている。
【００２７】
搬送ローラ対７３の用紙搬送方向下流側には第２搬送路Ｓ２が形成され、分岐点に第２切替ゲートＧ２が配置されている。
第２切替ゲートＧ２は、第２搬送路Ｓ２を、第２排出ローラ対８１に案内する第３搬送路Ｓ３と、第３排出ローラ対８２に案内する第４搬送路Ｓ４に切り替える（図２中  矢印参照）。
排紙トレイＴ２には、用紙Ｐが画像記録面を下側にした状態（フェースダウン）で収容される。排紙トレイＴ３には、用紙Ｐが画像記録面を上側にした状態で（フェースアップ）収容される。
【００２８】
（２．３）用紙搬送路の形成
第２搬送路Ｓ２は、案内部材７５の用紙案内面７５ａの一部と、第３搬送路Ｓ３の用紙案内面の一方を形成する案内ガイド７６によって形成されている。第３搬送路Ｓ３は、案内ガイド７６と第２切替ゲートＧ２の第１案内面Ｇ２ａによって形成されている。
【００２９】
第４搬送路Ｓ４は、搬送ローラ対７４の用紙搬送方向における上流側が、凹側を形成する案内部材７５の用紙案内面７５ａと凸側を形成する第２切替ゲートＧ２の第２案内面Ｇ２ｂによって形成され、搬送ローラ対７４の用紙搬送方向における下流側は、案内部材７５の用紙案内面７５ａと案内ガイド７７によって形成されている。
【００３０】
案内部材７５は、断面視、全体が湾曲し第２搬送路Ｓ２及び第４搬送路Ｓ４の凹側を形成している用紙案内面７５ａから突出するように付勢支持されたピンチローラ７３ｂ、７４ｂを有している。
ピンチローラ７３ｂは、搬送ローラ対７３を構成する駆動ローラ７３ａに回転自在に圧接され、用紙Ｐを第２搬送路Ｓ２へと搬送する。ピンチローラ７４ｂは、搬送ローラ対７４を構成する駆動ローラ７４ａに回転自在に圧接され、用紙Ｐを第２搬送路Ｓ２から第３搬送路Ｓ３へと搬送する。
【００３１】
（２．２）用紙搬送路の開放
図３に示すように、案内部材７５は、支持軸７５ｂを回転中心として自重で回転し、第２搬送路Ｓ２及び第４搬送路Ｓ４を開放する。
回転中心となる支持軸７５ｂは、分岐位置から用紙搬送方向における下流側に離れた位置に設けられ、案内部材７５が開放姿勢に回転したときに第２搬送路Ｓ２及び第４搬送路Ｓ４のそれぞれの案内面の間隔を広げるように開放する（図３中  矢印参照）。
【００３２】
（３）ジャム紙の除去操作
図４は案内部材７５が案内姿勢に位置する用紙搬送装置７０の内部構成を示す斜視図、図５は案内部材７５が開放姿勢に位置する用紙搬送装置７０の内部構成を示す斜視図、図６は案内部材７５が装置本体に係合された状態で開閉部材１００を閉じる状態を示す断面模式図、図７は案内部材７５が装置本体に係合されていない状態で開閉部材１００を閉じる状態を示す断面模式図、図８は案内部材７５及び開閉部材１００が装置本体に係合された状態を示す断面模式図、図９は開閉部材１００を開放して案内部材７５が開放姿勢に位置する状態の断面模式図である。
以下図面を参照しながら画像形成装置１におけるジャム除去操作について説明する。
【００３３】
（３．１）ジャム紙の除去操作
図４に示すように、装置本体の開閉部材１００を装置本体内部が露出するように開放すると、排紙トレイＴ３が装置本体に固定された状態で、定着装置６０の下流側に配置された用紙搬送装置７０が露出する。
【００３４】
開閉部材１００は、操作レバー１０１と連動して回転する係合部１０２を有する。係合部１０２は装置本体に設けられた被係合部としてのボス１１０に係合凹部１０２ａが嵌り合って、給紙装置２０の用紙引き出し部２２、レジストローラ対２３、二次転写ローラ５２、搬送ガイド５３に至る用紙搬送路を保持している。
【００３５】
案内部材７５は、用紙搬送方向における下流側が支持軸７５ｂで装置本体に回転支持され、上流側は係合部７８が装置本体に設けられた被係合部としてのボス１２０に嵌り合って係合され、案内姿勢を保持している。
【００３６】
図５に示すように、用紙搬送装置７０が露出した状態で、案内部材７５の操作レバー７９を操作すると、操作レバー７９と連動して係合部７８がボス１２０との係合を解除され、案内部材７５は回転して開放姿勢となる。
案内部材７５が開放姿勢になると、第２搬送路Ｓ２及び第４搬送路Ｓ４が開放され、第３搬送路Ｓ３の案内ガイド７６、第２切替ゲートＧ２、第４搬送路Ｓ４の案内ガイド７７が露出して、ジャム用紙を除去することができる。
【００３７】
案内部材７５は、回転中心となる支持軸７５ｂが、分岐位置から用紙搬送方向における下流側に離れた位置に設けられ、開放姿勢に回転するときに第２搬送路Ｓ２及び第４搬送路Ｓ４のそれぞれの案内面の間隔を広げるように開放する。
そのために、ジャム用紙を除去する使用者は、容易にジャム紙を除去することができる。
【００３８】
また、用紙搬送装置７０の用紙搬送路を露出させる場合、用紙Ｐが積載された排紙トレイＴ３を移動させることなく、開閉部材１００の操作レバー１０１を操作して用紙搬送装置７０を露出させた後、案内部材７５の操作レバー７９を操作すると、用紙搬送装置７０の用紙搬送路が自重で開放される（図９参照）。
【００３９】
そのために、使用者にとってジャム紙の除去操作手順が明確になり、誤操作を抑制することができる。
また、用紙Ｐが積載された排紙トレイＴ３を移動させることなく、用紙搬送装置７０を露出させることができるために、排紙トレイＴ３上に積載された用紙を落下させないように保持する機構を不要として、装置本体の小型化を図ることができる。
【００４０】
（３．２）用紙搬送装置の閉操作
図６には案内部材７５が装置本体に係合された状態で開閉部材１００を閉じる状態を示している。本実施形態に係る画像形成装置１においては、用紙搬送装置７０の用紙搬送路を形成する案内部材７５は、係合部７８が装置本体に設けられた被係合部としてのボス１２０に嵌り合って係合され案内姿勢を保持している。
装置本体内部を露出するように開放する開閉部材１００を閉じるように回転させると（図６中  矢印参照）、係合部１０２が装置本体に設けられた被係合部としてのボス１１０に係合凹部１０２ａが嵌り合って、用紙引き出し部２２、レジストローラ対２３、二次転写ローラ５２、搬送ガイド５３に至る用紙搬送路を保持する状態になる。
【００４１】
そのために、用紙搬送装置７０の搬送ローラ対７３、７４におけるそれぞれのピンチローラ７３ｂ、７４ｂの接触圧の反力は案内部材７５の係合部７８で受けて開閉部材１００に及ぶことがなく、開閉部材１００の閉操作を案内部材７５の閉操作と独立して容易に行うことができる。
【００４２】
図７には案内部材７５が装置本体に係合されていない状態で開閉部材１００を閉じる状態を示す。
開閉部材１００は、内面側に突出して形成された押し込みリブ１０３を有する。押し込みリブ１０３は、開閉部材１００の閉操作に伴って用紙搬送装置７０側へ移動し、案内部材７５の係合部７８に形成された斜面部７８ａに接触する。
【００４３】
開閉部材１００の押し込みリブ１０３が案内部材７５の係合部７８に形成された斜面部７８ａに接触した状態で、開閉部材１００の閉操作を行うと押し込みリブ１０３は係合部７８を回転（図７中  矢印Ｒ２参照）させながら相対移動して（図７中  矢印Ｒ１参照）、係合部７８は装置本体に設けられたボス１２０に嵌り合う。
【００４４】
開閉部材１００は更に閉操作を行うと、係合部１０２が装置本体に設けられた被係合部としてのボス１１０に係合凹部１０２ａが嵌り合って、用紙引き出し部２２、レジストローラ対２３、二次転写ローラ５２、搬送ガイド５３に至る用紙搬送路を保持した状態で装置本体の内部を閉鎖する。
【００４５】
その結果、案内部材７５が装置本体に係合されていない状態で開閉部材１００の閉操作を行った場合であっても、用紙搬送装置７０の案内部材７５は確実に装置本体の被係合部としてのボス１２０に係合され案内姿勢を保持することができる。
【００４６】
図８は案内部材７５及び開閉部材１００が装置本体に係合された状態を示している。
本実施形態に係る画像形成装置１は、用紙搬送装置７０は案内部材７５の係合部７８が装置本体のボス１２０に係合して案内姿勢を保持している。
そして、開閉部材１００は、係合部１０２が装置本体のボス１１０に嵌り合って、用紙引き出し部２２、レジストローラ対２３、二次転写ローラ５２、搬送ガイド５３に至る用紙搬送路を保持した状態で装置本体の内部を閉鎖している。
【００４７】
そのために、用紙搬送装置７０の搬送ローラ対７３、７４におけるそれぞれのピンチローラ７３ｂ、７４ｂの接触圧の反力は案内部材７５の係合部７８で受けて開閉部材１００に及ぶことがなく、開閉部材１００の変形を抑制することができる。
【符号の説明】
【００４８】
１・・・画像形成装置
１０・・・制御装置
２０・・・給紙装置
３０・・・感光体ユニット
４０・・・現像装置
５０・・・転写装置
５１・・・中間転写ベルト
５２・・・二次転写ローラ
６０・・・定着装置
６１・・・定着ベルト
６２・・・加圧ローラ
７０・・・用紙搬送装置
７１ａ、７１ｂ・・・案内ガイド
７２、７３、７４・・・搬送ローラ
７５・・・案内部材
７６・・・案内ガイド（第３搬送路）
７７・・・案内ガイド（第４搬送路）
７８・・・係合部
７９・・・操作レバー（案内部材）
８０・・・第１排出ローラ
８１・・・第２排出ローラ
８２・・・第３排出ローラ
１００・・・開閉部材
１０１・・・操作レバー
１０２・・・係合部
１０３・・・押し込みリブ
１１０、１２０・・・ボス（被係合部）
Ｇ１・・・第１切替ガイド
Ｇ２・・・第２切替ゲート
Ｔ１・・・排紙トレイ部
Ｔ２・・・排紙トレイ（フェイスダウン）
Ｔ３・・・排紙トレイ（フェイスアップ）
Ｐ・・・用紙
【図１】
0006515701.tif 000002
【図２】
0006515701.tif 000003
【図３】
0006515701.tif 000004
【図４】
0006515701.tif 000005
【図５】
0006515701.tif 000006
【図６】
0006515701.tif 000007
【図７】
0006515701.tif 000008
【図８】
0006515701.tif 000009
【図９】
0006515701.tif 000010